(57)【要約】【課題】宗教供養を全く感じさせず、従来のようなおおげさな墓地墓石を必要としない、簡便な形で先祖や故人、愛玩用動物を供養し、祭ることのできる墓を提供すること。【解決手段】本発明は、額縁部とその裏面に接続した平箱とからなり、該平箱は、その内部に仕切板によって遺骨収納部と遺品等収納部とを形成したものである、平箱形額墓である。  また、本発明は、上記の平箱形額墓に、遺骨収納部に人又は愛玩用動物の遺骨又は遺灰を収納し、遺品等収納部に人又は愛玩用動物の遺品等を収納し、額縁部の表面に記念する文字、模様、絵画又は写真を載せて、この平箱形額墓を壁面に設置して祭ることを特徴とする、先祖や故人、愛玩用動物の礼拝方法である。【選択図】図２
2011172605.tif 000002
【特許請求の範囲】
【請求項１】
額縁部とその裏面に接続した平箱とからなり、該平箱は、その内部に仕切板によって遺骨収納部と遺品等収納部とを形成したことを特徴とする、平箱形額墓。
【請求項２】
該平箱の額縁部に接する端部に鍔部を有し、該鍔部をネジ、釘その他の固定手段によって額縁部の裏面に固定したことを特徴とする、請求項１記載の平箱形額墓
【請求項３】
該平箱の端部の鍔部を額縁部の裏面に設けたガイド溝に挿入することによって可動式に取り付けたことを特徴とする、請求項１記載の平箱形額墓。
【請求項４】
額縁部と平箱の正面形状が、長方形、正方形、円形、楕円形又は多角形のいずれかである、請求項１ないし３のいずれかに記載の平箱形額墓。
【請求項５】
額縁部に装飾物取り付け用の穴を設けたことを特徴とする、請求項１ないし４のいずれかに記載の平箱形額墓。
【請求項６】
請求項１ないし５のいずれかに記載の平箱形額墓に、遺骨収納部に人又は愛玩用動物の遺骨又は遺灰を収納し、遺品等収納部に人又は愛玩用動物の遺品等を収納し、額縁部のおもて面に記念する文字、模様、絵画又は写真を表示して、この平箱形額墓を壁面に設置して祭ることを特徴とする、先祖や故人、又は愛玩用動物の礼拝方法。
【請求項７】
請求項１ないし５のいずれかに記載の平箱形額墓による礼拝方法において、平箱形額墓を墓地、寺院、教会、その他の宗教施設の建物内外の壁面に設置することを特徴とする、請求項６記載の先祖や故人、愛玩用動物の礼拝方法。
【請求項８】
請求項１ないし５のいずれかに記載の平箱形額墓による礼拝方法において、平箱形額墓を住宅内の部屋の壁面に設置することを特徴とする、請求項６記載の先祖や故人、愛玩用動物の礼拝方法。
【発明の詳細な説明】
【技術分野】
【０００１】
本発明は、故人または動物の遺骨が納められた人または動物の霊を供養し祭るための墓に係わり、壁面に取付られる平箱形額墓に関する。
【背景技術】
【０００２】
近年、特に都市部では、核家族化が進み、一人世帯を含む小世帯家族が増えている。現在のお墓の形態は、墓地用地を購入し、墓石を建立し、幾つかの遺骨を埋蔵できるカロートを備えた代々の家墓が主体となっており、承継者を必要とする型式の墓である。
【０００３】
しかし、都市近郊の便利な場所の墓地用地が不足し、供給不足から墓地墓石は高価となり、一般庶民にとって将来の不透明感と相俟って、高額な墓地墓石は購入できる範囲を超える価格となっている。
【０００４】
一般に、霊園全体の維持管理は霊園の経営主体者が行ない、その為に墓地使用者は年間管理費を納める義務がある。さらに、墓石が建立されている墓域内墓施設の管理は使用者が直接管理する規定になっていることが多く、従って年に何度かは墓の掃除をしなければ隣接する墓の使用者に迷惑を掛けることとなり、これらのことも承継者の負担に成っている。
【０００５】
また、維持管理の為の年間管理費を、例えば３年間滞納し一定の期間を経過すると墓地の使用権利が消滅する契約になっていて、無縁仏化するということもある。永代使用と謳っているが、実際には管理費を滞納すると、１０年でさえ維持されないという問題が含まれている。更に、墓地用地の不足からますます交通不便な遠隔地に墓地造成が行なわれ、墓参したい時に気軽に墓参できない、何の為の墓なのか考えさせられる問題がある。
【０００６】
加えて、核家族時代となりこれから墓を求める消費者市民のニーズは個人墓、夫婦墓、親子墓で承継者を必要としない墓なども望まれているが、現時点ではそのような墓はまだ存在していない。その前に、承継者がいないことで墓の購入さえできない問題がある。
【０００７】
そこで承継者がいない人の墓として、永代供養墓が案出建立されているが、その墓は合祀又は合葬する方式であり、故人を弔う個の尊厳が無く納得できないばかりか、墓地墓石は高価であり、諦めざるを得ない状況にある。
【０００８】
故人に対する墓参者が比較的多い期間、せめて７回忌くらいまでは個人の墓が欲しいと考えるが、承継者を必要とする制度であり実現は難しく、さらにお墓は、一旦購入すると、転居に伴い移動させることが容易ではない。
【０００９】
核家族化が進む中で、家族として共に暮らした愛ある故人、またはペットなどの遺骨を身近に置いて供養したいという需要並びに要望が多くなって来ている。たとえば、自宅供養を可能とする戒名塔兼用組立簡易墓石が提案されているが（例えば、特許文献１参照）、これは自宅に仏壇があることが当然のように前提となっている。大都市のマンション住民の中には、自宅に仏壇が無く、宗教供養を望まない人達も多いが、そのような人たちのニーズに対応していない。
【００１０】
自宅供養の墓の形態が、従来の墓石や位牌のイメージの強い墓であり、自宅の居間には相応しくないとして、三面写真枠体付き小型墓石が提案されているが（特許文献２参照）、この小型墓石は、格調高い家具調にしたことを強調しているものの、完全には宗教供養から抜け出せていない。家具には見えず、三面写真枠体付き小型墓石は見るからに故人の遺骨のあることが感じられ、居間に置くには違和感があり、専用の仏間が必要な小型墓である。
【００１１】
墓所を必要とせず、故人を生存証明できる物証や生涯記録を保存でき、お墓の維持管理も簡単かつ安価である箱形のお墓も提案されているが(例えば、特許文献３、特許文献４参照)、そもそも生存証明できる物証があれば、お墓であると言うことが、一般国民の意識として認識されるか疑問もある。現段階では一般都市民の意識として故人を認識する決め手の第一は遺骨であり、ＤＮＡや生涯記録等の情報媒体は、２次的要素と考えているのが一般的であると思われる。ＤＮＡや生涯記録等の情報媒体によって、宗教性は無いものの、現在の墓地墓石の代替としてのお墓と認識することは飛躍し過ぎである。
【００１２】
人間の総体意識は飛躍的には変わらない。人間の意識は、時間をかけて除除に変化してゆき、飽和点に達して大きく転換するパターンであり、ＤＮＡや生涯記録等の物証がお墓であるとすることに無理がある。更に言えば、この墓を採用した人の遺骨は如何に処置するのであろうか。故人のお墓を必要と考えている人は、遺骨の処置を如何するかが問題なのである。生存証明できる物証によってお墓として参拝するということは、現段階では未だ無理であると考えられる。
【００１３】
しかしながら核家族時代を迎え、個人墓を求める人達は個のメモリアルを大切にしながら、生涯の凝縮として生きて来た証を後世に残したいと言う欲求は強くなって来ており、従来２次的要素であった自分史編纂等生涯記録情報を残すことの比重が高まり、お墓の基本機能である遺骨収蔵と同等あるいはそれ以上に考える人達が増える時代に成りつつある。このような傾向を反映して、例えば、単に遺灰をガラスケースの中に入れ、フレーム（額縁）内に収納するものなどが提案されている。（例えば、特許文献５参照）
【先行技術文献】
【特許文献】
【００１４】
【特許文献１】特開２００１−２３４６４７号公報
【特許文献２】特開２００９−７４２６４号公報
【特許文献３】特開２００２−４６４１号公報
【特許文献４】特開平８−１０１１７号公報
【特許文献５】特開平１１−１２３２１４号公報
【発明の概要】
【発明が解決しようとする課題】
【００１５】
核家族時代を迎えて、従来のお墓制度では対応できない問題点が多くなってきている。例えば、交通至便な場所の墓地用地の不足から、都市近郊の墓地が非常に高価になってきている。そのために遠隔地に墓地を造成して販売しているが、比較して墓地は安いものの、遠隔地のため墓石の建立費はむしろ高価となり、これから墓地墓石を求める消費者市民にとってお墓の購入は困難になっている。又、核家族の墓は、現在は承継者がいても、例えば、承継者が結婚していないので、次の世代がないことが明らかになっている核家族の場合には、個人墓、夫婦墓、親子墓を求めていて、永代続く先祖の墓（家墓）ではないことが多い。そして、その求める墓が無いことから、仮に遠隔地の墓の購入を検討しても、墓参ができない墓に意味を見出せない、或いは、そんな遠隔地で墓参にも困る場所に墓地墓石を建立し故人一人埋蔵することが忍びない、或いは、何よりも、誰もがいつかは死を迎えることになるが、まじめに人生を歩んで来た人が墓地墓石を求められないことで人生最後の章で立ち往生する事態が起きつつありこころ安らかな老後を送れない、或いは、墓の手配ができないことから納得の行く供養ができない、などといったさまざまな問題が表れている。
【００１６】
本発明は、以上のような現在の墓地墓石制度の問題点を少しでも解決する為になされたものであり、宗教供養を全く感じさせず、従来のようなおおげさな墓地墓石を必要としない、簡便な形で先祖や故人を供養し祭ることのできる墓を提供することを目的とするものである。そして、本発明による墓の場合には、年間管理費を納める必要もなく、墓掃除からも解放され、墓参の為の時間や交通費も必要とせず、且つ、現在の大都市住民の意識変化に合致したものとして認識されるものである。故人にとって生前生活していたその場所で、家族一緒の空間に在りながら、違和感のない墓を提供することを目的とする。
【課題を解決するための手段】
【００１７】
本発明者は、上記のような課題を解決すべく鋭意研究の結果、おおげさな従来の墓地墓石に代わって、壁面に設置する遺骨等の収納部を有する壁掛け式の墓（額墓）を使用することによって、上記のようなさまざまな問題点を一挙に解決することができることを見出し、本発明を完成した。
【００１８】
即ち、本発明は、以下の内容をその要旨とする発明である。
（１）本発明は、額縁部とその裏面に接続した平箱とからなり、該平箱は、その内部に仕切板によって遺骨収納部と遺品等収納部とを形成したものである、平箱形額墓である。
（２）また、本発明は、該平箱の額縁部に接する端部に鍔部を有し、該鍔部をネジ、釘その他の固定手段によって額縁部の裏面に固定したしたものである、前記（１）記載の平箱形額墓である。
（３）また、本発明は、該平箱の端部の鍔部を額縁部の裏面に設けたガイド溝に挿入することによって可動式に取り付けたものである、前記（１）記載の平箱形額墓である。
（４）また、本発明は、額縁部と平箱の正面形状が、長方形、正方形、円形、楕円形又は多角形のいずれかである、前記（１）ないし（３）のいずれかに記載の平箱形額墓である。
（５）また、本発明は、額縁部に装飾物取り付け用の穴を設けたものである、前記（１）ないし（４）のいずれかに記載の平箱形額墓である。
（６）また、本発明は、前記（１）ないし（５）のいずれかに記載の平箱形額墓に、遺骨収納部に人又は愛玩用動物の遺骨又は遺灰を収納し、遺品等収納部に人又は愛玩用動物の遺品等を収納し、額縁部のおもて面に記念する文字、模様、絵画又は写真を表示して、この平箱形額墓を壁面に設置して祭ることを特徴とする、先祖や故人、又は愛玩用動物の礼拝方法である。
（７）また、本発明は、前記（１）ないし（５）のいずれかに記載の平箱形額墓による礼拝方法において、平箱形額墓を墓地、寺院、教会、その他の宗教施設の建物内外の壁面に設置することを特徴とする、前記（６）記載の先祖や故人、又は愛玩用動物の礼拝方法である。
（８）また、本発明は、前記（１）ないし（５）のいずれかに記載の平箱形額墓による礼拝方法において、平箱形額墓を住宅内の部屋の壁面に設置することを特徴とする、前記（６）記載の先祖や故人、又は愛玩用動物の礼拝方法である。
【発明の効果】
【００１９】
従来の墓地では広大な墓地用地を必要とし、墓石として多くの石材を使用して立派で荘厳性をもたらす墓地墓石であるのに対して、本発明の平箱形額墓は、このような広大な墓地用地を必要とせず、また立派な墓石も必要としないため、建物や部屋の壁面などの少ないスペースの中に簡単に設置することができ、誰でも容易に自分の祖先や故人を祭る墓を用意することができ、或いはペットとして可愛がった動物を祭る墓とすることができるという特徴を有する。
【００２０】
更に、故人の生きた時代の情報を含む生涯記録を残せること、遺骨とは別にＤＮＡの検出が可能な髪や爪を収蔵しておくことも可能であり、簡単な構造であるが巨大な石材造形物の墓に比較して機能面ではより充実している。
また、少子化時代であり、いずれ将来は承継者がいなくなる状態になれば、巨大な墓石であっても無縁仏化することとなり巨大な墓石ほど撤去費用がかかり、また、一旦墓にした石材の転用は難しいが、本発明の平箱形額墓はこのような問題が全く発生しない。
【００２１】
本発明の平箱形額墓は、人が亡くなり供養を充分に行いたい初期の時期に自宅において供養し、時代が進んで故人を記憶する人がいなくなった段階で、遺骨は、永代供養墓か、樹木葬、ガーデン葬、又は散骨を認められた地域に散骨して自然に還すまでの期間の墓とするという使い方も可能である。
【図面の簡単な説明】
【００２２】
【図１】本発明の平箱形額墓の長方形の平箱部の斜視図である。
【図２】平箱を額縁部に取りつけた本発明の長方形の平箱形額墓の斜視図である。
【図３】本発明の長方形の平箱形額墓の内部の縦断面図である。
【図４】本発明の長方形の平箱形額墓の内部の縦断面図の拡大図である。
【図５】本発明の長方形の平箱形額墓の裏面図である。
【図６】本発明の長方形の平箱形額墓を壁面に設置した状態を示す外観正面及び側面の説明図である。
【図７】本発明の長方形の平箱形額墓のリースを取りつけた正面図である。
【図８】複数個の本発明の長方形の平箱形額墓を霊園の壁面に設置した状態を示す説明図である。
【図９】本発明の長方形の平箱形額墓（イ）とそのレプリカ（ロ）の外観正面図である。
【図１０】本発明の長方形の平箱形額墓をペット用にした場合の外観正面図である。
【図１１】本発明の長方形の平箱形額墓の額縁部の一つの表示例を示す説明図である。
【図１２】本発明の長方形の平箱形額墓の額縁部の一つの表示例を示す説明図である。
【図１３】本発明の長方形の平箱形額墓の額縁部の一つの表示例を示す説明図である。
【図１４】本発明の長方形の平箱形額墓の額縁部の一つの表示例を示す説明図である。
【図１５】本発明の長方形の平箱形額墓の額縁部の一つの表示例を示す説明図である。
【図１６】額縁部に装飾物取付け用の穴を設けた本発明の長方形の平箱形額墓の正面図と側面図である。
【図１７】平箱を額縁部にスライド方式で取り付ける場合の説明図である。
【図１８】スライド方式の取り付け部の拡大図である。
【図１９】遺骨収納部と遺品等収納部を引き出し方式にした本発明の長方形の平箱形額墓の裏面及び側面の説明図である。
【発明を実施するための形態】
【００２３】
本発明の平箱形額墓を、図１〜図１９に基づいて具体的な実施例によって詳細に説明する。しかし、ここでこれらの図面に基づいて説明する内容は、あくまでも一つの例示であって、この記載によって本発明の内容がなんら限定されるものではない。
【００２４】
本発明の平箱形額墓は、図２に示すように比較的小さい厚さの平らな平箱１と額縁部２とから成っており、平箱１は側壁部を形成する箱枠３と箱の底部となる箱底部４（図示せず）と上蓋５によって形成され、平箱１の箱底部４には鍔６が設けられている。また、図３に示すように、平箱１の内部には仕切板７が設けられ、遺骨や遺灰を収蔵する遺骨収納部８と遺髪や遺品、記念となる品物を収納する遺品等収納部９が形成されている。
【００２５】
遺品等収納部９には、将来何らかの事情でＤＮＡ鑑定可能な試料として髪や爪を容器に入れて収納することも可能である。
また、デジタル化した故人の経歴、業績等生涯情報や自分史編纂の文字情報、映像情報をフラッシュメモリーの記憶媒体に記録し、故人の遺品や資料の収納部である遺品等収納部９に収納することも可能である。収納するかどうかは自由選択である。故人の遺品は、思い出の写真、故人にとって大切な小物記念品等である。
【００２６】
例えば、平箱１は、図１に示すように、箱枠３に箱底部４をネジ等で閉じて長方形などの平箱を形成し、長方形の上蓋５を箱枠３に仮止めして置き、遺骨遺品資料等を入れて上蓋５をネジ等で閉めて長方形の箱形の墓とする。
【００２７】
図２に示す平箱形額墓は、額縁部２に接合するための鍔６を形成した平箱として、額縁部２に接合する構成である。また、平箱１の外形寸法は、額縁部２のサイズに合せて製作するが、油絵額１０号に対応した場合、幅３９０ｍｍ、高さ４６０ｍｍ、厚み４０ｍｍ程度である。
【００２８】
図３に示すように、箱底部４、箱枠３及び上蓋５は、仕切板７を介して遺骨収蔵の収納部８、遺品等収納部９のスペースを形成し、更に、図４に示すように８-１、９-１の耐火材で内装するとよい。当然上蓋５の裏面収納部となる部分も同様に耐火材で内装する。火葬時の遺骨揚げの際熱い遺骨に耐えられることと、承継者又は次の代で故人の遺骨を散骨等実施するまでの期間に火災等から守る為である。
【００２９】
平箱１の遺骨収納部８及び遺品等収納部９は、遺骨、遺髪、種々の遺品、経歴、業績、自分史編纂、生涯情報、映像情報、文字情報等故人に関して編纂したものを記憶媒体のフラッシュメモリー等に記録し、ＤＮＡ保存用の髪や爪を耐火容器に入れて収納した後、上蓋５をネジ等で閉じる。更に、平箱１は図５の１-１に示すように内表面に防火塗装を施すことによって、火災から遺品や記憶媒体やＤＮＡ試料を守るようにすることが望ましい。
【００３０】
以上のような遺骨や遺品などを収容したこの実施の形態に係わる平箱１は、額縁部２と接合することで本発明の平箱形額墓となる。額縁部の前面（おもて面）には、例えば、故人を記念する文字や絵画、模様、写真などを挿入して飾ればよい。勿論、それ以外の写真や絵画などを飾ってもよい。このような本発明の平箱形額墓は、例えば自宅の部屋、例えば居間の壁に取付けている状態となるが、単に絵画や書画を掛けている状態に見えることから、来客があってもお墓と気付くことなく、部屋のインテリアとしての絵額や書額を掛け気品ある部屋の雰囲気を醸し出す役割を果たす。これこそが宗教供養によらない人間のこころで観える墓である。
【００３１】
以上の説明は主として人が亡くなった場合について記載しているが、人だけでなく、ペットとして可愛がっていた犬や猫などのような愛玩用の動物の遺骨や遺品、記念品などを納めて、供養に供することもできる。
【００３２】
このような遺骨や遺品などを収納した本発明の平箱形額墓は、一般的に垂直な壁面に設置し、従来の墓地墓石に代わるものとして、参拝や故人の供養のお参りなどに供される。
具体的には、墓地や寺院、教会などの宗教施設、その他の建物の内外の壁面や塀の壁面などに、この本発明の平箱形額墓を設置して、必要に応じて例えば図８に示すようにお供え台や花台を設けた形とすればよい。お参りに来た人は従来の墓と同じようにこの平箱形額墓の前で礼拝し、供養をすることができる。
【００３３】
従来の墓地墓石に代わってこのような本発明の平箱形額墓を採用することにより、少ないスペースで墓地を設置することができるだけでなく、従来は墓地として全く利用不可能であった上述したような建物や塀などの壁面をも利用することができる。
【００３４】
また、本発明の平箱形額墓は、このほかにも、例えば、個人が自分が住んでいる住宅の中でこの平箱形額墓を部屋の壁面に設置して、先祖や故人を偲ぶ祭壇として使用することができる。その一例を図６に示した。
【００３５】
近年の核家族化した都市住民はマンション住まいが多く、仏壇を備える家族が少なく、毎朝の合掌礼拝する習慣が無くなり、自然に無宗教化している。都市に住む団塊世代の人達やそれ以下の年代の核家族は無宗教化し、宗教的に縛られた供養を望まず、自由な供養することを希望している人が多い。
【００３６】
本発明の平箱形額墓は、自宅の居間などの壁面に取付けることを想定しているので、材質は木製が適切であるが、取付ける場所が屋外、例えば霊園周囲の塀の面に取付ける場合や、霊園の花壇等予定し手が回らずそのままにしてあるスペースに、厚さ２０ｃｍ程度の仕切り壁を設け、そこに取付ける等、場所により石材、ステンレス、アルミ、プラスチック等の材料を適宜組み合わせて、実用に耐える材料を選定し製作施工することもできる。
【００３７】
更に、この実施の形態に係わる平箱形額墓は、最近増加傾向にある手元供養の中で、僅かな遺骨を内蔵するペンダント型の身に付けるタイプや、自宅に置くオブジェタイプや位牌形や墓石形の縮小版ではなく、都市マンション住民の無宗教化した人達が望む、宗教供養を望まない核家族のために、従来の墓地墓石に比較しても充分に存在感が感じられる納得できる自宅用の置き墓として使用できる。
【００３８】
最近自然葬なる散骨容認派が７４％を超えることは、墓地用地の不足と核家族化の中で確実に家墓の墓石文化が時代に合わなくなって来ていることを現していると思われる。
【００３９】
この本発明の平箱形額墓は、これから相当数にのぼる宗教供養を望まない人達の個人墓の要望に応えるための発明であり、経済的で、且つエコ活動に繋がる時代の要請に応えると同時に、死の尊厳を守る供養の在り方を示し解決する。
【００４０】
しかしながら、必ずしも宗教供養を望まない人達の墓と限定するものではなく、既に墓地墓石を持っている人達も、墓が遠隔地で墓参ができず充分な供養ができないでいる人達の利用も可能である。
【００４１】
また、大都市周辺のマンション住まいの住人総てが、無宗教供養を望んでいる訳ではなく、年輩の方でマンションに仏壇までは用意できないにしても、月命日には花を手向け、お供えをして供養したいと思う人も多い。そのような人の為に、図６に示すように額墓の下部にお供え台、花台を置けるようにして、仏壇の代用ができるようにしてもよい。宗教供養をしたい人は額の中を絵から遺影に替えるか、碑文にするかは供養する人が適宜選択すればよい。額墓は、額面を使用して、又は額の周囲を宗教的な装飾を施す様にして、宗教供養を可能にすることも出来る。
【００４２】
また、例えば、仏壇を連想するオプションには抵抗を感じる場合には、図７に示すように、命日には欧風のリース１２などを飾り、普段の供養とは違ったこころを届け、かつての海外生活を想い出しながら語りかけ供養することなども可能である。更に額の周囲や架台の周囲を利用して、故人が好きだった物を飾り、喜んでもらうことも工夫できる。
【００４３】
図８に示すように、交通便利な場所の屋外霊園や屋外寺院墓地にどうしても墓が欲しいと考える人に、例えば前記した霊園の周囲の塀や、霊園の中にある花壇だった遊休地で充分な広さを利用して、壁面を造り、本発明の平箱形額墓を取付け利用することで、多くの人に核家族時代に対応した安価な墓を提供することが可能となる。
【００４４】
この場合、承継者がいない多くの人にもチャンスがあるように、平箱形額墓に関しては壁面の使用期間を仏教的供養の場合７回忌の６年間にするか又は１３回忌までの１２年間にすることで、繰り返し多くの人に壁面の使用チャンスを与えることができる。神道の場合は使用期間を１０年祭までの期間とすることも良い。
多くの都市市民が墓が無くて困っているのに、公園と称して充分すぎるゆとりを保つことは本末転倒であり、このように秩序ある範囲で環境を保ち、墓を提供することが本来の霊園の果たす役割りであると考える。
【００４５】
同様の視点で、他の都営霊園や大都市自治体の霊園を見直すことで、何万基の個人墓を創出することができることとなる。そして本発明の平箱形額墓の有期限の使用を繰り返すことで更に多くの人に、充分供養をしたい初期期間に墓を提供することができる。同様に交通至便な場所にある宗教法人経営の寺院墓地や霊園を見直すことで更に何万基もの、有期限使用の個人墓が創り出せることとなる。
【００４６】
上記の本発明の平箱形額墓は、室内はもとより屋外であっても壁面に取付けられる墓の形態であるが、自治体の霊園か宗教法人が経営する霊園の中で、使用可能な壁面を見出し、霊園内納骨堂としての知事の許可を得て、有期限使用の墓として繰り返し販売することが可能となり、霊園や寺院も地域民に喜ばれ且つ経営の安定が図れることとなる。更に、有期限使用後の葬送として、利用度の少ない永代供養墓が活かせることとなり、寺院や霊園の経営が安定することとなる。
【００４７】
図９に示すように、核家族時代とは長男長女時代で、小家族が密であることから、長じて長男と長女が住む場所が違う場合、額墓のレプリカ（図９のロ）（必ずしもレプリカでなくても良く同じサイズでも良い）を製作して、長女の家庭の壁面に取付けるか、居間のボードの上に飾り付けて供養することができる。そのレプリカの額の中は、承継者と同じ絵や書ではなくても良く、分骨して貰う長女の好きな絵にするか、書にするか、遺影にするか、その他適宜選択すればよい。
【００４８】
図１０に示すように、全く人の墓の場合と同様に、家族の一員となっている犬や猫などの愛玩用動物（ペット）の死も、人の死と同様の悲しみがあり、ペットロスから立ち直るには時間がかかる。この場合自宅供養の額墓は非常に有効な役割を果たす。元々ペットは宗教的な葬送ではなく、飼い主のこころの供養であることから、墓参を必要としない自宅置きの本発明の平箱形額墓の応用は微笑ましく、居間の雰囲気を創りだす役割りも果たす。
【００４９】
図１１、図１２、図１３、図１４に示すように、本発明の平箱形額墓では、絵画や書や写真を飾る部分は必ずしも額の外形と同じ形でなければならない訳ではなく、円形やハート形や楕円形、角が丸みを帯びた長方形その他の形で製作することが可能である。
【００５０】
生前のゆとりある時間を活用して額墓作りに参画要望し、世界で一つのオリジナル額墓の製作に取り組み、自分らしさを表現し、家族に残す額墓を製作することも可能となります。
【００５１】
本発明の平箱形額墓による他の実施例を図１５に示す。ここに示すように額縁の外形は必ずしも方形でなければならないことはない。壁に取付けられれば、平たい形状であれば、長方形だけでなく、正方形、円形、楕円形、多角形などの種々の形であってもその役割りは同じである。額の中の写真や絵画、書画を惹き立てる為に額縁装飾が重要な役割りを果たすが、その装飾はシンプルな装飾を好む人、手造りの凝った彫刻を好む人それぞれ適宜選択すればよい。
【００５２】
本発明の平箱形額墓による他の実施例を図１６に示す。図１６に示すように、額縁部２の外縁部周囲に装飾物を取付けられる様に適宜直径１ｍｍ程度の適度の深さの小さい穴ｈ１、ｈ２、ｈ３を複数設けて、必要に応じて平箱形額墓を更に装飾できる様に予め用意しておくことができる。
【００５３】
尚、本発明の平箱形額墓を生前寿陵墓として本人が購入する場合は、何年間は遺骨も遺品も無い状態であり、自分史編纂を続けながら、遺品として承継者に何を残すかという選定期間でもある。その際に出し入れする必要が生ずるので、そのことに対応するために図１７に示す様に、額縁部２と収納用の平箱１をスライド方式にして資料収集及び絵画の取替えに対応できる様にしてもよい。収納用の平箱１をスライド方式にするには、例えば図１８に示すように、収納用の平箱１の側面にレール板１３を取り付け、額縁部２の裏面にレールガイド板１４を取り付け、収納用の平箱１のレール板１３が額縁部２のレールガイド板１４の溝の中を摺動できるようにすればよい。
【００５４】
本発明の平箱形額墓による他の実施例を図１９に示す。図１９に示すように、平箱１の遺骨を収蔵する遺骨収納部８及び遺品等収納部９を引き出し方式にして引き出しが容易にできる構造にしてもよい。火葬場に持参するのに遺骨収納用平箱のみ持参できる利点がある。又、遺品等収納部は、遺品収納部、資料収納部、ＤＮＡ収納部をそれぞれ別の引き出しにしてもよい。
【産業上の利用可能性】
【００５５】
本発明の平箱形額墓を利用することにより、従来の墓地墓石を利用する場合に比べて、非常に低コストで墓を持つことができ、さらに少ないスペースで、或いは家の中の壁面にも設置することができ、従来とは全く異なった形態の墓というものを提供することができ、墓地墓石の分野での今後の利用及び社会への浸透の可能性は非常に大きい。
【符号の説明】
【００５６】
１．平箱
２．額縁部
３．箱枠
４．箱底部
５．上蓋
６．鍔部
７．仕切り板
８．遺骨収納部
８−１．耐火材内装
９．遺品等収納部
９−１．耐火材内装
１０．お供え台
１１．花台
１２．リース
１３．レール板
１４．レールガイド板
ｈ１、ｈ２、ｈ３．装飾物取付け用穴
【図１】
2011172605.tif 000003
【図２】
2011172605.tif 000004
【図３】
2011172605.tif 000005
【図４】
2011172605.tif 000006
【図５】
2011172605.tif 000007
【図６】
2011172605.tif 000008
【図７】
2011172605.tif 000009
【図８】
2011172605.tif 000010
【図９】
2011172605.tif 000011
【図１０】
2011172605.tif 000012
【図１１】
2011172605.tif 000013
【図１２】
2011172605.tif 000014
【図１３】
2011172605.tif 000015
【図１４】
2011172605.tif 000016
【図１５】
2011172605.tif 000017
【図１６】
2011172605.tif 000018
【図１７】
2011172605.tif 000019
【図１８】
2011172605.tif 000020
【図１９】
2011172605.tif 000021